(57)【特許請求の範囲】
【請求項１】
収納空間を有するキャビネット本体と、
前記収納空間を閉鎖した閉鎖状態と、上端が下方前方に移動して傾斜し、前記収納空間を開放した開放状態とを往復移動する前板と、
前記キャビネット本体と前記前板との間に連結され、開放状態の前記前板を支持する支持部材と、
この支持部材に支持され、前記前板の閉鎖状態から開放状態への移動に伴い斜め前方上方に移動する収納部と、
前記前板が開放状態において、前記収納部の上部前端と前記前板の背面との間にカバー部材と、
を備えていることを特徴とするキャビネット。
【請求項２】
前記支持部材は、伸長して前記前板を開放状態に支持し、屈曲して前記前板を閉鎖状態にすることを特徴とする請求項１記載のキャビネット。
【請求項３】
前記カバー部材は表面が前記支持部材の表面と面一であることを特徴とする請求項１又は２記載のキャビネット。
【発明の詳細な説明】
【技術分野】
【０００１】
本発明はキャビネットに関するものである。
【背景技術】
【０００２】
特許文献１は従来のキャビネットを開示している。このキャビネットは、キャビネット本体、前板、支持部材、及び収納部を備えている。キャビネット本体は収納空間を有している。前板は外形が左右方向に長い長方形状の平板である。支持部材は、前板の左右両端部の夫々に一端が取り付けられ、他端がキャビネット本体に係止された取り付けケースに取り付けられている。また、前板は下端がヒンジによってキャビネット本体に連結されている。このため、前板は、ヒンジの回動軸を中心に上端が下方前方に移動して傾斜し、収納空間を開放する。収納部は、収納空間に配置され、厚さ方向の中間に包丁の刃を差し込むことができるスリットが形成され、左右方向に長い長方形状の平板である。収納部は、前板が収納空間を開放した際、スリットが斜め上方を向いている。このため、このキャビネットは、包丁を収納部に収納したり、収納部から取り出したりすることを容易に行うができる。
【先行技術文献】
【特許文献】
【０００３】
【特許文献１】特許第５１２７３７０号公報
【発明の概要】
【発明が解決しようとする課題】
【０００４】
しかし、特許文献１のキャビネットは収納部がキャビネット本体に取り付けられている。このため、このキャビネットは、前板が収納空間を開放した際、収納部のスリットの開口部が収納空間内に位置したままであるため、スリットに包丁の刃を差し込み難いおそれがある。また、仮に、収納部を包丁以外の収納物を収納することができるようにした場合、収納部が収納空間内に位置するため、収納部への収納物の出し入れがし難いおそれがある。
【０００５】
本発明は、上記従来の実情に鑑みてなされたものであって、収納部への収納物の出し入れを容易に行うことができるキャビネットを提供することを解決すべき課題としている。
【課題を解決するための手段】
【０００６】
本発明のキャビネットは、
収納空間を有するキャビネット本体と、
前記収納空間を閉鎖した閉鎖状態と、上端が下方前方に移動して傾斜し、前記収納空間を開放した開放状態とを往復移動する前板と、
前記キャビネット本体と前記前板との間に連結され、開放状態の前記前板を支持する支持部材と、
この支持部材に支持され、前記前板の閉鎖状態から開放状態への移動に伴い斜め前方上方に移動する収納部と、
前記前板が開放状態において、前記収納部の上部前端と前記前板の背面との間にカバー部材と、
を備えていることを特徴とする。
【０００７】
本発明のキャビネットは、収納部が支持部材に支持されており、前板が閉鎖状態から開放状態への移動に伴い、収納空間から収納部が斜め前方上方に移動する。このため、このキャビネットは、前板を開放状態にした際に、収納部を視認しながら、収納部への収納物の出し入れを行うことができる。
【０００８】
したがって、本発明のキャビネットは収納部への収納物の出し入れを容易に行うことができる。
【図面の簡単な説明】
【０００９】
【図１】実施例のキャビネットであって、前板によって収納空間を閉鎖した状態を示す外観図である。
【図２】実施例のキャビネットであって、前板によって収納空間を開放した状態を示す外観図である。
【図３】実施例のキャビネットであって、前板によって閉鎖された収納空間の近傍を示す要部断面図である。
【図４】実施例のキャビネットであって、前板によって開放された収納空間の近傍を示す要部断面図である。
【図５】実施例のキャビネットにおいて、収納空間を開放状態にした際の前板、支持部材、収納部、及びカバー部材の状態を示す斜視図である。
【発明を実施するための形態】
【００１０】
本発明における好ましい実施の形態を説明する。
【００１１】
本発明のキャビネットにおいて、支持部材は、伸長して前記前板を開放状態に支持し、屈曲して前記前板を閉鎖状態にし得る。この場合、支持部材に支持された収納部が前板の往復移動に伴って所定の位置に往復移動させることができる。
【００１２】
本発明のキャビネットは、前板が開放状態において、前記収納部の上部前端と前記前板の背面との間にカバー部材を備えている。この場合、このキャビネットは、収納部と前板との間をカバー部材によって覆うことができるため、収納物が収納部と前板との間に落下することを防止することができる。また、このキャビネットは収納空間を開放した開放状態における意匠性を良好にすることができる。
【００１３】
本発明のキャビネットにおいて、前記カバー部材の表面が前記支持部材の表面と面一であり得る。この場合、このキャビネットは、カバー部材と支持部材の境界部の凹凸を無くすことができるため意匠性を良好にすることができる。また、このキャビネットは支持部材の表面及びカバー部材の表面を容易に掃除することができる。
【００１４】
次に、本発明のキャビネットを具体化した実施例について、図面を参照しつつ説明する。
【００１５】
＜実施例＞
実施例のキャビネットは、図１及び図２に示すように、カウンター１３、カウンター１３の一部を開口して取り付けられたシンク１１、及びカウンター１３の下方に設けられたキャビネット本体１０を備えている。このキャビネットはシンク１１の前側の空間を収納空間１２として利用している。また、このキャビネットは、図３〜図５に示すように、前板３０、一対の支持部材５０、収納部４０、及びカバー部材４１を備えている。
【００１６】
カウンター１３は、図３及び図４に示すように、左右方向（左右方向は図３における奥行き方向である。以下同じ）に長い長方形状の平板であり、前後方向に延びている。カウンター１３は上面の前側（前は図３における左である。以下同じ）に上面より僅かに上方に突出した水返し部１３Ａを有している。カウンター１３は、下面の前側に下面の後側（後は図３における右である。以下同じ）より下方に突出した第一段部１３Ｂが設けられている。この第一段部１３Ｂは、下面の前側に第一段部１３Ｂの下面より僅かに下方に突出した第二段部１３Ｃを具備している。カウンター１３はシンク１１を取り付けるための長方形状の開口部１３Ｄが設けられている。このカウンター１３は、開口部１３Ｄの上端の周囲がカウンター１３の上面より僅かに低い凹段部１３Ｅが形成されている。また、このカウンター１３は、開口部１３Ｄの下端部に内方向に延びたフランジ１３Ｆが設けられている。
【００１７】
シンク１１は、左右方向に長い長方形状である。シンク１１は、前後方向に延びた底壁１１Ａ、底壁１１Ａの周縁から上方向に連続して延びた第一周囲壁１１Ｂ、第一周囲壁１１Ｂの上端から外方向に連続して延びた第一フランジ１１Ｃ、第一フランジ１１Ｃの周縁から上方向に連続して延びた第二周囲壁１１Ｄ、及び第二周囲壁１１Ｄの上端から外方向に連続して延びた第二フランジ１１Ｅを具備している。
【００１８】
キャビネット本体１０は、仕切壁１４、下板１５、及び左右壁１６を有している。仕切壁１４は左右方向に長い。仕切壁１４は、左右方向に長く前後方向に延びた上壁１４Ａ、上壁１４Ａの後端から下方向に延びた後壁１４Ｂ、後壁１４Ｂの下端から後方下方に連続して延びた傾斜壁１４Ｃ、及び傾斜壁１４Ｃの下端から後方向に連続して延びた下壁１４Ｄを具備している。下板１５は、左右方向に長い長方形状の平板であり、前後方向に延びている。左右壁１６は、上下方向に長い長方形状の平板であり、前後方向に延びている。
【００１９】
キャビネットは、図３及び図４に示すように、カウンター１３が第一段部１３Ｂの後端をキャビネット本体１０の前面１０Ａに合わせ、前端部をキャビネット本体１０の前面１０Ａより前方に突出した状態で、キャビネット本体１０の上端に配置されている。キャビネットは、シンク１１の第二フランジ１１Ｅの下面をカウンター１３の凹段部１３Ｅの上面に当接させ、第二周囲壁１１Ｄをカウンター１３の開口部１３Ｄに当接させ、第一フランジ１１Ｃの下面をカウンター１３のフランジ１３Ｆの上面に当接させて、シンク１１を配置している。シンク１１は、第一周囲壁１１Ｂをカウンター１３のフランジ１３Ｆの後に僅かに間を空けている。キャビネットは、仕切壁１４の下壁１４Ｄがシンク１１の底壁１１Ａより僅かに低く配置され、仕切壁１４の後壁１４Ｂがシンク１１の第一周囲壁１１Ｂの前側に僅かに間を空けて配置されている。また、仕切壁１４は上壁１４Ａをカウンター１３の下方に配置している。仕切壁１４の上壁１４Ａとカウンター１３の下面との間はカウンター１３の前端部の上下方向の寸法とほぼ同じ寸法である。キャビネットは、下板１５の上面の後端部が仕切壁１４の下壁１４Ｄの下面に当接され配置されている。左右壁１６は、仕切壁１４の左右両端、及び下板１５の左右両端の夫々に左右方向から当接され配置されている。
【００２０】
キャビネットは、カウンター１３の第一段部１３Ｂの後端、仕切壁１４の上壁１４Ａの前端、下板１５の前端、及びキャビネット本体１０の前面１０Ａが前後方向の略同じ位置にある。キャビネットは、仕切壁１４の上壁１４Ａ、後壁１４Ｂ、傾斜壁１４Ｃと、下板１５と、左右壁１６とで囲まれた収納空間１２を形成している。
【００２１】
前板３０は、図１〜図５に示すように、前板本体３０Ａ、把手３１、及び木ネジ３３を有している。前板本体３０Ａは、左右方向に長い長方形状の平板であり、後述する前板３０が収納空間１２を閉鎖した状態で、上下方向に延びている。把手３１は左右方向に長く延びている。この把手３１は、前板３０が収納空間１２を閉鎖した状態で、上下方向に延びた第一後壁３１Ａ、第一後壁３１Ａの上端部の前側から上方向に連続して延びた第二後壁３１Ｂ、第二後壁３１Ｂの上端から前方向に連続して延びた上壁３１Ｃ、及び上壁３１Ｃの前端から下方向に連続して延びた前壁３１Ｄを具備している。この把手３１は、第一後壁３１Ａの後面の左右両側の上端部に、後方向に突出した一対の凸部３１Ｅを具備している。また、これら一対の凸部３１Ｅは、それぞれの左右側面の中央部に左右方向に貫通した貫通孔３１Ｆが設けられている。木ネジ３３は、把手３１と、前板本体３０Ａとを連結している。詳しくは、把手３１の第一後壁３１Ａの前面を前板本体３０Ａの上端部の後面に当接し、第二後壁３１Ｂの下面を前板本体３０Ａの上端面に当接して、把手３１の第一後壁３１Ａの後面から前板本体３０Ａの後面に向けて木ネジ３３を締めている。
【００２２】
キャビネットは、図３及び図４に示すように、前板本体３０Ａの後面の下端部がヒンジ３２を介してキャビネット本体１０の下板１５の上面の前部に回動自在に連結している。前板３０は、収納空間１２を閉鎖した閉鎖状態において、後面をキャビネット本体１０の前面１０Ａに僅かに間を空け、下端面を下板１５の下面より僅かに高く配置している。また、前板３０は、収納空間１２を閉鎖した閉鎖状態において、把手３１の上壁３１Ｃの上面をカウンター１３の第一段部１３Ｂの下面に間を空けて配置している。こうして、前板３０は、下端をヒンジ３２に支持されており、収納空間１２を閉鎖した閉鎖状態と、上端が下方前方に移動して傾斜し、収納空間１２を開放した開放状態との間を回動自在に往復移動することができる。
【００２３】
支持部材５０は、図３〜図５に示すように、第一腕部材５１、第二腕部材５２、及びリンク部材５３を有している。第一腕部材５１は、一方向に長く形成されており、上面部５１Ｆ、及び上面部５１Ｆの各長辺部から上面部５１Ｆに対して直角で上面部５１Ｆの裏面方向にそれぞれ延びた左右側面部５１Ｇを有し、上面部５１Ｆの裏面側が開口している。第一腕部材５１は、上面部５１Ｆ、及び左右側面部５１Ｇが同じ厚さの板である。第一腕部材５１の上面部５１Ｆは長手方向の中間部が凹むように僅かに湾曲している。
【００２４】
第一腕部材５１は長手方向の一端部に左右方向に貫通した第一ジョイント孔５１Ａが設けられている。第一腕部材５１は長手方向の他端部に左右方向に貫通した第二ジョイント孔５１Ｂが設けられている。第一腕部材５１は、第二ジョイント孔５１Ｂの周囲を囲むように、上面部５１Ｆ、及び左右側面部５１Ｇと同じ厚さの補強部５１Ｊが設けられている。第一腕部材５１は、上面部５１Ｆの表面と一端面との間が、曲面５１Ｌで形成されている。第一腕部材５１は、上面部５１Ｆの表面と他端面との間が、第二ジョイント孔５１Ｂに同心の曲面５１Ｋで形成されている。第一腕部材５１は一端面から左右側面部５１Ｇの上面部５１Ｆに連続した縁部に反対側の縁部に向けて延びた傾斜面５１Ｍが形成されている。第一腕部材５１は、他端面と、左右側面部５１Ｇの上面部５１Fに連続した縁部に反対側の縁部とがほぼ直角に隣り合い角部５１Ｅを形成している。第一腕部材５１は長手方向の中央より僅かに第二ジョイント孔５１Ｂに近い位置に左右方向に貫通した第三ジョイント孔５１Ｃが設けられている。
【００２５】
第一腕部材５１は、図５に示すように、他端部の左右方向の中間部に矩形状の切り欠き溝５１Ｄが設けられている。この切り欠き溝５１Ｄは第一腕部材５１の長手方向の他端部に設けられた補強部５１Ｊの左右方向の中間部を切り欠いている。つまり、切り欠き溝５１Ｄは第二ジョイント孔５１Ｂを左側と右側とに分断している。
【００２６】
第二腕部材５２は、図３〜図５に示すように、一方向に長く形成されており、上面部５２Ｅ、及び上面部５２Ｅの各長辺部から上面部５２Ｅに対して直角で上面部５２Ｅの裏面方向にそれぞれ延びた左右側面部５２Ｆを有し、上面部５２Ｅの裏面側が開口している。第二腕部材５２は、上面部５２Ｅ、及び左右側面部５２Ｆが同じ厚さの板である。第二腕部材５２の上面部５２Ｅは長手方向の中間部が凹むように僅かに湾曲している。また、第二腕部材５２は長手方向の他端部が一端部に比べて僅かに厚い。
【００２７】
第二腕部材５２は長手方向の一端部に左右方向に貫通した第四ジョイント孔５２Ａが設けられている。第二腕部材５２は長手方向の他端部に左右方向に貫通した第五ジョイント孔５２Ｂが設けられている。第二腕部材５２は、第四ジョイント孔５２Ａ、及び第五ジョイント孔５２Ｂの周囲を囲むように、上面部５２Ｅ、及び左右側面部５２Ｆと同じ厚さの補強部５２Ｈ，５２Ｊが設けられている。第二腕部材５２は、上面部５２Ｅの表面と一端面との間が、第四ジョイント孔５２Ａに同心の曲面５２Ｋで形成されている。第二腕部材５２は、上面部５２Ｅの表面と他端面との間が、曲面５２Ｌで形成されている。第二腕部材５２は、隣り合う他端面と、左右側面部５２Ｆの上面部５２Ｅに連続した縁部に反対側の縁部とが鈍角をなしている。第二腕部材５２は、一端面と、左右側面部５２Ｆの上面部５２Ｅに連続した縁部に反対側の縁部とがほぼ直角に隣り合い角部５２Ｄが形成されている。
【００２８】
第二腕部材５２は、図５に示すように、一端部の左右方向の中間部に矩形状の切り欠き溝５２Ｃが設けられている。この切り欠き溝５２Ｃは、第二腕部材５２の長手方向の一端部に設けられた補強部５２Ｈの左右方向の中間部を切り欠いている。つまり、切り欠き溝５２Ｃは、第四ジョイント孔５２Ａを左側と右側とに分断している。
【００２９】
リンク部材５３は、長円形状の平板であり、両端部が半円形状である。リンク部材５３は、一端部に外形と同心軸上に左右方向に貫通した第一リンク孔５３Ａ、及び他端部に外形と同心軸上に左右方向に貫通した第二リンク孔５３Ｂを具備している。リンク部材５３は、左右方向の寸法（板の厚さ）が、第一腕部材５１の他端部に設けられた切り欠き溝５１Ｄ、及び第二腕部材５２の一端部に設けられた切り欠き溝５２Ｃの左右方向の寸法（切り欠き溝の幅）より僅かに小さい。
【００３０】
第一腕部材５１と第二腕部材５２とは、リンク部材５３を介して相対的に回動自在に連結されている。詳しくは、リンク部材５３は、図３〜図５に示すように、一端部を第一腕部材５１の他端部に設けられた切り欠き溝５１Ｄに合わせて嵌めこみ、リンク部材５３の第一リンク孔５３Ａを第一腕部材５１の第二ジョイント孔５１Ｂに連通させ、第二軸部材５５でリンク部材５３の第一リンク孔５３Ａと、第一腕部材５１の第二ジョイント孔５１Ｂとを挿通して連結している。
【００３１】
第二腕部材５２は、前板３０が収納空間１２を閉鎖した閉鎖状態において、上面部５２の表面が第一腕部材５１の上面部５１Ｆの表面に向かい合うように、一端部に設けられた切り欠き溝５２Ｃをリンク部材５３の他端部に合わせて嵌めこむ。そして、第二腕部材５２の第四ジョイント孔５２Ａをリンク部材５３の第二リンク孔５３Ｂに連通させ、第四軸部材５７で第二腕部材５２の第四ジョイント孔５２Ａとリンク部材５３の第二リンク孔５３Ｂとを挿通して連結している。つまり、第一腕部材５１の他端部、及び第二腕部材５２の一端部は、リンク部材５３によって相対的に回動自在に連結されている。
【００３２】
第一腕部材５１は、前板３０が収納空間１２を閉鎖した閉鎖状態において、上面部５１Ｆの裏面を前板３０に向くように、前板３０の凸部３１Ｅに回動自在に連結されている。詳しくは、第一腕部材５１は、第一ジョイント孔５１Ａを把手３１の第一後壁３１Ａの後面の左右両側の上端部に後方向に突出して設けられた凸部３１Ｅに貫通した貫通孔３１Ｆに連通させる。そして、第一腕部材５１は、連通した第一ジョイント孔５１Ａと貫通孔３１Ｆとに第一軸部材５４を挿通して前板３０の凸部３１Ｅに連結されている。
【００３３】
また、第二腕部材５２は、第五ジョイント孔５２Ｂを収納空間１２を形成した左右壁１６の内側面の上端部の前側に回動自在に連結されている。この支持部材５０は、前板３０が収納空間１２を閉鎖した閉鎖状態において、第一腕部材５１の上面部５１Ｆと第二腕部材５２の上面部５２Ｅが向い合うように屈曲する。また、この支持部材５０は、前板３０が収納空間１２を開放した開放状態において、第一腕部材５１と第二腕部材５２とが前後方向に直列した状態で、前板３０を支持する。
【００３４】
収納部４０は、図２〜図５に示すように、左右方向に長く延びており、上端が開口した箱状である。収納部４０は、図３に示すように、前板３０が収納空間１２を閉鎖した閉鎖状態において、長方形状の底壁４０Ａ、及び底壁４０Ａの周囲から上方向に連続して延びた周囲壁４０Ｂを具備している。周囲壁４０Ｂは、左右両側のそれぞれの上端部の前側に左右方向に貫通した一対の貫通孔４０Ｃを設けている。収納部４０は、周囲壁４０Ｂの左右両側の上端面が、前後方向の中間部が凹むように僅かに湾曲している。
【００３５】
収納部４０は、前板３０が収納空間１２を閉鎖した閉鎖状態において、底壁４０Ａの下面を下板１５の上面に僅かに間を空け、周囲壁４０Ｂの後側の後面を仕切壁１４の後壁１４Ｂの前面に僅かに間を空けて配置されている。また、収納部４０は、前端部がキャビネット本体１０の前面１０Ａより僅かに前方にはみ出している。収納部４０は、周囲壁４０Ｂの上端の高さが仕切壁１４の後壁１４Ｂの上下中央より僅かに上方に配置されている。収納部４０は第一腕部材５１に対して回動自在に連結されている。詳しくは、収納部４０は、貫通孔４０Ｃを第一腕部材５１の第三ジョイント孔５１Ｃに連通させる。そして、収納部４０は連通した貫通孔４０Ｃと第三ジョイント孔５１Ｃとに第三軸部材５６を挿通して第一腕部材５１に連結されている。
【００３６】
カバー部材４１は、左右方向に延びた板である。カバー部材４１は、図４に示すように、前板３０が収納空間１２を開放した開放状態において、前板３０の把手３１の第一後壁３１Ａの後面の上端部、一対の支持部材５０の第一腕部材５１の互いに向かい合う左右側面部５１Ｇ、及び収納部４０の周囲壁４０Ｂの前側の上端で囲まれた領域を覆うように配置されている。カバー部材４１は、収納部４０の上部前端と前板３０の背面との間に広がっている。カバー部材４１は左右両端面を一対の支持部材５０の第一腕部材５１の互いに向かい合う左右側面部５１Ｇに当接させて連結している。カバー部材４１は、表面が一対の第一腕部材５１の上面部５１Ｆの表面、及び収納部４０の周囲壁４０Ｂの前側の上端に面一である。また、カバー部材４１は、前板３０の後面に隣り合う表面が、第一腕部材５１の上面部５１Ｆの表面、及び一端面の間に形成された曲面５１Ｌに面一である。
【００３７】
次に、このキャビネットの前板３０が収納空間１２を閉鎖した閉鎖状態から収納空間１２を開放した開放状態に移る動作を説明する。このキャビネットは、図３〜図５に示すように、前板３０の把手３１を前に引くと、前板３０の上端が下方前方に移動して傾斜する。また、このキャビネットは、前板３０が前方に回動するのに伴い、一対の支持部材５０の第一腕部材５１の他端部、及び第二腕部材５２の一端部がリンク部材５３と共に斜め前方上方に移動する。また、このキャビネットは、一対の支持部材５０の第一腕部材５１の他端部、及び第二腕部材５２の一端部がリンク部材５３と共に斜め前方上方に移動するのに伴い、第一腕部材５１の第三ジョイント孔５１Ｃも斜め前方上方に移動する。
【００３８】
このため、このキャビネットは、第一腕部材５１の第三ジョイント孔５１Ｃが斜め前方上方に移動するのに伴い、収納部４０が上端の開口を前方に傾けつつ斜め前方上方に移動する。このキャビネットは、図４及び図５に示すように、第一腕部材５１の角部５１Ｅと、第二腕部材５２の角部５２Ｄとが互いに当接し、支持部材５０が伸長すると、前板３０の回動が停止する。こうして、このキャビネットは、第一腕部材５１及び第二腕部材５２が前後方向に直列し、前板３０が収納空間１２を開放した開放状態に支持される。このとき、このキャビネットは、カバー部材４１の表面、一対の支持部材５０の表面、及び収納部４０の上端が面一である。また、収納部４０は、上端の開口を前方上方に向けて一対の支持部材５０で支持されている。
【００３９】
このキャビネットは、収納部４０が支持部材５０に支持されており、前板３０が閉鎖状態から開放状態への移動に伴い収納部４０が斜め前方上方に移動する。このため、このキャビネットは、前板３０を開放状態にした際、収納部４０を視認しながら、収納部４０への収納物の出し入れを行うことができる。
【００４０】
したがって、本発明のキャビネットは収納部４０への収納物の出し入れを容易に行うことができる。
【００４１】
次に、このキャビネットの前板３０が収納空間１２を開放した開放状態から収納空間１２を閉鎖した閉鎖状態に移る動作を説明する。このキャビネットは、図４及び図５に示すように、前板３０の上部を後に押すと、前板３０が上方後方に回動する。このとき、このキャビネットは、第一腕部材５１の他端部、及び第二腕部材５２の一端部が、リンク部材５３と共に斜め後方下方に移動する。また、このキャビネットは、当接していた第一腕部材５１の角部５１Ｅ、及び第二腕部材５２の角部５２Ｄが、第一腕部材５１の他端部、及び第二腕部材５２の一端部がリンク部材５３と共に斜め後方下方に移動するのに伴いそれぞれが前側と後側とに離れつつ斜め後方下方に移動する。収納部４０は、一対の支持部材５０の第一腕部材５１の他端部が斜め後方下方に移動するのに伴い、前方に傾いた上端の開口を上方向に向けつつ斜め後方下方に移動する。こうして、このキャビネットは、図３に示すように、前板３０がキャビネット本体１０の前面１０Ａに平行な位置で停止し、収納空間１２を閉鎖した閉鎖状態に支持される。
【００４２】
このキャビネットにおいて、支持部材５０は、伸長して前板３０を開放状態に支持し、屈曲して前板３０を閉鎖状態にできる。このため、支持部材５０に支持された収納部４０が前板３０の往復移動に伴って所定の位置に移動させることができる。
【００４３】
また、このキャビネットは、前板３０が開放状態において、収納部４０の上部前端と前板３０の背面との間にカバー部材４１を備えている。このため、このキャビネットは、収納部４０と前板３０との間をカバー部材４１によって覆うことができるため、収納物が収納部４０の上部前端と前板３０の上端との間に落下することを防止することができる。また、このキャビネットは収納部４０を開放した開放状態における意匠性を良好にすることができる。
【００４４】
また、このキャビネットは、カバー部材４１の表面が支持部材５０の表面と面一である。このため、このキャビネットは、収納部４０の上端の周囲の凹凸を少なくすることができ、意匠性を良好にすることができる。また、このキャビネットは支持部材５０の表面及びカバー部材４１の表面を容易に掃除することができる。
【００４５】
本発明は上記記述及び図面によって説明した実施例に限定されるものではなく、例えば次のような実施例も本発明の技術的範囲に含まれる。
（１）実施例では、支持部材が硬い部材であるが、紐や糸などの柔らかい材質であってもよい。
（２）実施例では、支持部材が二つ折式であるが、ダンパー式や、パンタグラフ式であってもよい。
（３）実施例では、キッチンに用いられているが、洗面化粧台等に用いてもよい。
（４）実施例では、収納空間がシンクの前側に設けられているが、シンクの前側だけで無く、奥行きの狭い壁面収納等に用いてもよい。
（５）実施例では、ヒンジを用いて前板を回動させているが、ヒンジでなくてもよく、前板を平行に引き出す、引き出し式であってもよい。
（６）実施例では、一対の支持部材を用いているが、一対でなくてもよく、１つ、又は３つ以上でもよい。
（７）実施例では、前板本体の上側に左右方向に長く延びる把手を設けているが、前板本体で収納空間を閉鎖できるように、前板本体の上下方向の寸法を収納空間の上下の寸法より僅かに大きくして、前板本体の前面の上端部にハンドル把手や、左右方向に長く延びる把手を取り付けてもよい。また、左右方向に長く前後方向に延びた平板と、この平板の前端から下方向に連続して延びる垂下片とを有した把手を用いてもよい。この場合、この把手は、平板の前端を前板本体の前方に突出させつつ平板の下面を前板本体の上端面に当接させて連結する。また、前板本体の前面の上端部に左右方向に切り欠き溝を設けて把手としてもよい。
【符号の説明】
【００４６】
１０…キャビネット本体
１２…収納空間
３０…前板
４０…収納部
４１…カバー部材
５０…支持部材
【図１】
0006376595.tif 000002
【図２】
0006376595.tif 000003
【図３】
0006376595.tif 000004
【図４】
0006376595.tif 000005
【図５】
0006376595.tif 000006